(57)【要約】【課題】ワンタッチでバイタル情報を携帯端末から入力するバイタル情報入力受付システムおよび方法ならびにプログラムを提供する。【解決手段】携情報管理サーバは、バイタル情報の入力履歴に基づいて、バイタル情報の複数の入力候補を特定し、特定した複数の入力候補を表示するための表示情報を生成する表示情報生成部を有し、携帯端末は、受信する表示情報に基づいて複数の入力候補を表示する表示部を有し、表示部は、表示する複数の入力候補から一のバイタル情報の入力を受け付けることを特徴とするバイタル情報入力受付システム。【選択図】図１２
2014085682.tif 000002
【特許請求の範囲】
【請求項１】
携帯端末と、前記携帯端末にネットワークを介して接続される情報管理サーバとを有するバイタル情報入力受付システムであって、
前記情報管理サーバは、バイタル情報の入力履歴に基づいて、前記バイタル情報の複数の入力候補を特定し、特定した複数の前記入力候補を表示するための表示情報を生成し、生成した前記表示情報を前記携帯端末に送信する表示情報生成部を有し、
前記携帯端末は、受信する前記表示情報に基づいて複数の前記入力候補を表示する表示部を有し、
前記表示部は、表示する複数の前記入力候補から一の前記バイタル情報の入力を受け付けることを特徴とするバイタル情報入力受付システム。
【請求項２】
請求項１に記載のバイタル情報入力受付システムにおいて、
前記表示情報生成部は、前記入力履歴から一の入力予測値を抽出し、抽出した前記入力予測値と、前記入力予測値の前後に所定間隔ごとに存在する値とを前記入力候補として特定することを特徴とするバイタル情報入力受付システム。
【請求項３】
請求項２に記載のバイタル情報入力受付システムにおいて、
前記情報管理サーバは、利用者の年齢および性別と、バイタル情報の統計値又は平均値を示す統計情報とを、対応付けて記憶する統計情報記憶部を有し、
前記表示情報生成部は、前記入力履歴が存在しない場合、前記利用者の前記年齢および前記性別をキーに前記統計情報記憶部を検索し、対応する前記統計情報を前記入力予測値として抽出することを特徴とするバイタル情報入力受付システム。
【請求項４】
請求項１乃至３のいずれか一項に記載のバイタル情報入力受付システムにおいて、
前記情報管理サーバの前記表示情報生成部は、表示領域を格子状に分割し、分割した各表示領域に前記入力候補を表示するための前記表示情報を生成し、
前記携帯端末の前記表示部は、前記情報管理サーバから受信する前記表示情報に基づいて表示領域を格子状に分割し、分割した各表示領域に前記入力候補を表示することを特徴とするバイタル情報入力受付システム。
【請求項５】
携帯端末と、前記携帯端末にネットワークを介して接続される情報管理サーバとを有するバイタル情報入力受付システムにおけるバイタル情報入力受付方法であって、
前記情報管理サーバにより、バイタル情報の入力履歴に基づいて、前記バイタル情報の複数の入力候補を特定する入力候補特定ステップと、特定した複数の前記入力候補を表示するための表示情報を生成する表示情報生成ステップと、生成した前記表示情報を前記携帯端末に送信する送信ステップと、
前記携帯端末により、前記表示情報を受信する表示情報受信ステップと、前記表示情報に基づいて複数の前記入力候補を表示する表示ステップと、表示する複数の前記入力候補から一の前記バイタル情報の入力を受け付けるバイタル情報入力受付ステップと、を有することを特徴とするバイタル情報入力受付方法。
【請求項６】
携帯端末と、前記携帯端末にネットワークを介して接続される情報管理サーバとを有するバイタル情報入力受付システムのコンピュータを機能させるためのプログラムであって、
前記情報管理サーバにより、バイタル情報の入力履歴に基づいて、前記バイタル情報の複数の入力候補を特定する入力候補特定ステップと、特定した複数の前記入力候補を表示するための表示情報を生成する表示情報生成ステップと、生成した前記表示情報を前記携帯端末に送信する送信ステップと、
前記携帯端末により、前記表示情報を受信する表示情報受信ステップと、前記表示情報に基づいて複数の前記入力候補を表示する表示ステップと、表示する複数の前記入力候補から一の前記バイタル情報の入力を受け付けるバイタル情報入力受付ステップと、を前記コンピュータに実行させることを特徴とするプログラム。
【発明の詳細な説明】
【技術分野】
【０００１】
本発明は、バイタル情報入力受付システムおよび方法ならびにプログラムに関する。
【背景技術】
【０００２】
本技術分野の背景技術として、例えば、特開２０１０−１０８１１８号公報（特許文献１）がある。この公報には、「携帯端末の表示装置にはタッチ反応領域が設けられ、タッチ反応領域内で検出されるタッチ操作に基づいて仮想キーボード内の文字を選択し、その選択された仮想キーボード内の文字に対応する文字を表示する。」と記載がある。
【先行技術文献】
【特許文献】
【０００３】
【特許文献１】特開２０１０−１０８１１８号公報
【発明の概要】
【発明が解決しようとする課題】
【０００４】
特許文献１では、仮想キーボード内の文字を選択することで、選択した文字を入力することができる。しかし、特許文献１に記載された技術では、複数の桁数からなる数字を入力する場合に、その桁数に応じた回数だけ数字を入力する必要がある。特に、携帯端末は外出先での利用を想定していることから、なるべく少ない操作回数、短時間で入力することが求められている。また、アプリケーションの操作時には、数字を入力するために入力文字種別を切り替える操作が必要であり、ＩＴ機器が苦手な高齢者にとっては、数字を入力することが困難な場合があった。
【０００５】
本発明の目的は、ワンタッチでバイタル情報を携帯端末から入力するバイタル情報入力受付システムおよび方法ならびにプログラムを提供することである。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次の通りである。
【０００８】
前記目的を達成するために、代表的な発明は、携帯端末と、前記携帯端末にネットワークを介して接続される情報管理サーバとを有するバイタル情報入力受付システムであって、以下の特徴を有する。前記情報管理サーバは、バイタル情報の入力履歴に基づいて、前記バイタル情報の複数の入力候補を特定し、特定した複数の前記入力候補を表示するための表示情報を生成し、生成した前記表示情報を前記携帯端末に送信する表示情報生成部を有する。さらに、前記携帯端末は、受信する前記表示情報に基づいて複数の前記入力候補を表示する表示部を有する。そして、前記表示部は、表示する複数の前記入力候補から一の前記バイタル情報の入力を受け付けることで、前述の課題を解決する。
【０００９】
また、本発明は、ワンタッチでバイタル情報を携帯端末から入力するためのシステムによる方法や、ワンタッチでバイタル情報を携帯端末から入力するためのシステムとしてコンピュータを機能させるプログラムにも適用する事ができる。
【発明の効果】
【００１０】
本願において開示される発明のうち、代表的なものによって得られる効果を簡単に説明すれば以下のとおりである。
【００１１】
本発明によれば、ワンタッチでバイタル情報を携帯端末から入力できるようになる。
【図面の簡単な説明】
【００１２】
【図１】本発明の一実施の形態における、バイタル情報入力受付システムの構成例の概要を示す図である。
【図２】図１のバイタル情報入力受付システムにおいて、利用者情報記憶部が記憶する利用者テーブルの構成例を示す図である。
【図３】図１のバイタル情報入力受付システムにおいて、バイタル情報記憶部が記憶するバイタル情報テーブルの構成例を示す図である。
【図４】図１のバイタル情報入力受付システムにおいて、統計情報記憶部が記憶する統計情報テーブルの構成例を示す図である。
【図５】図１のバイタル情報入力受付システムにおいて、表示情報生成部が受信するバイタル情報の例を示す図である。
【図６】図１のバイタル情報入力受付システムにおいて、入力時期ごとに対応する重みづけ値を各バイタル情報に割り当てた例を示す図である。
【図７】図１のバイタル情報入力受付システムにおいて、各バイタル情報の重みづけの合計値の例を示す図である。
【図８】図１のバイタル情報入力受付システムにおいて、各バイタル情報の重みづけの合計値の例を示す図である。
【図９】図１のバイタル情報入力受付システムにおいて、各バイタル情報の重みづけの合計値の例を示す図である。
【図１０】図１のバイタル情報入力受付システムにおいて、各バイタル情報の重みづけの合計値の例を示す図である。
【図１１】図１のバイタル情報入力受付システムにおいて、全体処理の処理フローの一例を示す図である。
【図１２】図１のバイタル情報入力受付システムにおいて、バイタル情報入力受付画面の例を示す図である。
【発明を実施するための形態】
【００１３】
以下、本発明の実施の形態を図面に基づいて詳細に説明する。なお、実施の形態を説明するための全図において、同一部には原則として同一の符号を付し、その繰り返しの説明は省略する。
【００１４】
＜システム構成＞
図１は、本発明の一実施の形態における、バイタル情報入力受付システムの構成例の概要を示す図である。図１において、バイタル情報入力受付システムは例えば、携帯端末１００と、この携帯端末１００にネットワーク２００を介して接続される情報管理サーバ１１０とを有する。
【００１５】
また、携帯端末１００および情報管理サーバ１１０は、所定のハードウェアおよびソフトウェアにより実装される。例えば、携帯端末１００および情報管理サーバ１１０は、プロセッサやメモリなどを有し、プロセッサによるメモリ上のプログラムの実行により、バイタル情報入力受付システムとして、携帯端末１００および情報管理サーバ１１０のコンピュータを機能させる。
【００１６】
携帯端末１００は、表示部１０１、一時データ記憶部１０２を有する。
【００１７】
表示部１０１は、携帯端末１００が有する図示しない表示情報生成部又は、情報管理サーバ１１０から受信する表示情報を解析し、バイタル情報の入力を受け付けるためのバイタル情報入力受付画面（後述、図１２）などを表示する。さらに、表示する複数の入力候補から一の入力候補を選択することで、表示部１０１は、バイタル情報の入力を受け付ける。
【００１８】
一時データ記憶部１０２は、表示部１０１が入力を受け付けたバイタル情報を記憶する。
【００１９】
情報管理サーバ１１０は、登録部１１１、変更部１１２、削除部１１３、表示情報生成部１１４、利用者情報記憶部１２１、バイタル情報記憶部１２２、統計情報記憶部１２３を有する。
【００２０】
登録部１１１は、携帯端末１００から受信するバイタル情報をバイタル情報テーブルに記憶する。
【００２１】
変更部１１２は、携帯端末１００から受信する要求に応じてバイタル情報テーブルが記憶するバイタル情報を変更する。
【００２２】
削除部１１３は、携帯端末１００から受信する要求に応じてバイタル情報テーブルが記憶するバイタル情報を削除する。
【００２３】
表示情報生成部１１４は、バイタル情報の入力履歴を取得し、取得したバイタル情報の入力履歴に基づいて複数の入力候補を特定する。
【００２４】
さらに、表示情報生成部１１４は、複数の入力候補を表示するための表示情報を生成する。
【００２５】
利用者情報記憶部１２１は、[利用者ＩＤ]，[年齢]，[性別]，[身長]などのデータ項目を含む利用者テーブル（後述、図２）を記憶する。
【００２６】
バイタル情報記憶部１２２は、[利用者ＩＤ]，[バイタル情報]，[入力時期]などのデータ項目を含むバイタル情報テーブル（後述、図３）を記憶する。
【００２７】
統計情報記憶部１２３は、[年齢]，[性別]，[身長]，[統計情報]などのデータ項目を含む統計情報テーブル（後述、図４）を記憶する。
【００２８】
＜テーブル構成＞
図２は、利用者情報記憶部１２１に記憶された、利用者テーブルの構成例を示している。利用者テーブルは、[利用者ＩＤ]，[年齢]，[性別]，[身長]などのデータ項目を含む。[利用者ＩＤ]は、利用者を識別するための記号である。[年齢]は利用者の年齢を示す。[性別]は利用者の性別を示す。[身長]は利用者の身長を示す。
【００２９】
図３は、バイタル情報記憶部１２２に記憶された、バイタル情報テーブルの構成例を示している。バイタル情報テーブルは、[利用者ＩＤ]，[バイタル情報]，[入力時期]などのデータ項目を含む。[バイタル情報]は、体重、体温、血圧、血糖値などの利用者の生体情報を示す。[入力時期]は、バイタル情報が入力された時期を示す。
【００３０】
図４は、統計情報記憶部１２３に記憶された、統計情報テーブルの構成例を示している。統計情報テーブルは、[年齢]，[性別]，[身長]，[統計情報]などのデータ項目を含む。[統計情報]は、バイタル情報の統計値や平均値を示す。
【００３１】
＜応答画面例：バイタル情報入力受付画面＞
図１２は、表示部１０１が表示するバイタル情報入力受付画面の例を示す。
【００３２】
バイタル情報入力受付画面では、表示領域を３行×５行の格子状に分割し、分割した各表示領域に入力候補を表示する。また、入力予測値「６３．２」を他の入力候補とは異なる態様で強調表示する。さらに、入力予測値「６３．２」を２行目（真ん中の行）に表示する。さらに、入力候補として、入力予測値「６３．２」の前後に所定間隔ごとに存在する値を表示する。図１２では、入力予測値「６３．２」とともに、入力予測値の前後に所定間隔（例えば０．１）ごとに存在する値「６２．６」「６２．７」「６２．８」「６２．９」「６３．０」「６３．１」「６３．３」「６３．４」「６３．５」「６３．６」「６３．７」「６３．８」「６３．９」「６４．０」を表示する。
【００３３】
さらに、バイタル情報入力受付画面では、下一桁の値が「１」または「６」である入力候補を１列目（左端の列）又は、表示領域の辺に沿った表示領域に表示する。
【００３４】
さらに、バイタル情報入力受付画面では、上ボタン１２０２と下ボタン１２０３を表示する。そして、上ボタン１２０２への操作を受け付けることで、現在表示している入力候補よりも小さい値を入力候補として表示することができる。また、下ボタン１２０３への操作を受け付けることで、現在表示している入力候補よりも大きい値を入力候補として表示することができる。
【００３５】
＜全体処理＞
図１１は、本システム全体の処理フローを示す（Ｓは処理ステップ等を示す）。まず、Ｓ１１０１にて携帯端末１００が、情報管理サーバ１１０にアクセスすると、携帯端末１００は、情報管理サーバ１１０に利用者ＩＤを送信する。情報管理サーバ１１０は、受信した利用者ＩＤをバイタル情報記憶部１２２へ送信する。バイタル情報記憶部１２２は、受信した利用者ＩＤをキーにバイタル情報テーブルを検索し、当該利用者ＩＤに対応するバイタル情報と当該バイタル情報の入力時期とからなる入力履歴を取得する（Ｓ１１０１）。
【００３６】
次に、Ｓ１１０２にてバイタル情報記憶部１２２は、対応する入力履歴を取得できたか否かを判定する。対応する入力履歴を取得できたと判定する場合（Ｓ１１０２−ＹＥＳ）、バイタル情報記憶部１２２は、取得したバイタル情報の入力履歴を表示情報生成部１１４へ送信する。
【００３７】
次に、Ｓ１１０３にて、表示情報生成部１１４は、受信したバイタル情報の入力履歴から一の入力予測値を抽出する（後述、図５、図６、図７、図８、図９、図１０）。そして、表示情報生成部１１４は、抽出した入力予測値と、当該入力予測値の前後に所定間隔ごとに存在する値とを入力候補として特定する。
【００３８】
次に、Ｓ１１０５にて、表示情報生成部１１４は、特定した複数の入力候補を表示するための表示情報を生成する。そして、表示情報生成部１１４は、表示情報を携帯端末１００に送信する。
【００３９】
次に、Ｓ１１０６にて、携帯端末１００の表示部１０１は、表示情報を受信する。そして、受信した表示情報に基づいて複数の入力候補を表示する。そして、表示する複数の入力候補から一のバイタル情報の入力を受け付ける。
【００４０】
ここで、Ｓ１１０２にて、対応するバイタル情報を取得できなかったと判定する場合（Ｓ１１０２−ＮＯ）、バイタル情報記憶部１２２は、利用者情報記憶部１２１へ利用者ＩＤを送信し、Ｓ１１０４に進む。
【００４１】
そして、Ｓ１１０４にて、利用者の年齢と性別とをキーに統計情報記憶部を検索し、対応するバイタル情報を入力予想値として、取得し、Ｓ１１０５へ進む。
【００４２】
そして、表示部１０１は表示した複数の入力候補から一の入力候補を選択することで、バイタル情報の入力を受け付ける。携帯端末１００は、入力を受け付けたバイタル情報を情報管理サーバ１１０に送信する。情報管理サーバ１１０の登録部１１１は、受信したバイタル情報をバイタル情報テーブルに記憶する。
【００４３】
なお、図示しない携帯端末１００の表示情報生成部が、一時データ記憶部１０２から取得するバイタル情報に基づいて表示情報を生成するようにしても良い。また、表示部１０１は、図示しない携帯端末１００の表示情報生成部が生成した表示情報に基づいて複数の入力候補を表示し、入力を受け付けたバイタル情報を一時データ記憶部１０２に記憶するようにしても良い。
【００４４】
ここで、本発明のバイタル情報入力受付方法およびプログラムは、Ｓ１１０３が入力候補特定ステップに相当し、Ｓ１１０５が表示情報生成ステップに相当し、Ｓ１１０５が送信ステップに相当し、Ｓ１１０６が表示情報受信ステップに相当し、Ｓ１１０６が表示ステップに相当し、Ｓ１１０６がバイタル情報入力受付ステップに相当する。
【００４５】
＜入力予想値の抽出＞
図５、図６、図７、図８、図９、図１０は、入力予測値を抽出する例を示す。
【００４６】
図５は、表示情報生成部１１４が受信するバイタル情報の例を示す。例１は、バイタル情報および当該バイタル情報の入力履歴として、「６３．２ｋｇ（バイタル情報）―２０１２／０６／０２（入力時期）」「６３．４ｋｇ（バイタル情報）―２０１２／０５／１２（入力時期）」「６４．１ｋｇ（バイタル情報）―２０１２／０４／１４（入力時期）」「６３．８ｋｇ（バイタル情報）―２０１２／０４／０１（入力時期）」「６３．７ｋｇ（バイタル情報）―２０１２／０３／１７（入力時期）」を表示情報生成部１１４が受信している。
【００４７】
例２は、バイタル情報および当該バイタル情報の入力時期として、「６３．１ｋｇ（バイタル情報）―２０１２／０６／０２（入力時期）」「６３．２ｋｇ（バイタル情報）―２０１２／０５／１２（入力時期）」「６３．２ｋｇ（バイタル情報）―２０１２／０４／１４（入力時期）」「６３．２ｋｇ（バイタル情報）―２０１２／０４／０１（入力時期）」「６３．８ｋｇ（バイタル情報）―２０１２／０３／１７（入力時期）」を表示情報生成部１１４が受信している。
【００４８】
例３では、バイタル情報および当該バイタル情報の入力時期として、「６３．８ｋｇ（バイタル情報）―２０１２／０６／０２（入力時期）」「６３．２ｋｇ（バイタル情報）―２０１２／０５／１２（入力時期）」「６３．２ｋｇ（バイタル情報）―２０１２／０４／１４（入力時期）」「６３．２ｋｇ（バイタル情報）―２０１２／０４／０１（入力時期）」「６３．８ｋｇ（バイタル情報）―２０１２／０３／１７（入力時期）」を表示情報生成部１１４が受信している。
【００４９】
例４では、バイタル情報および当該バイタル情報の入力時期として、「６３．８ｋｇ（バイタル情報）―２０１２／０６／０２（入力時期）」「６３．２ｋｇ（バイタル情報）―２０１２／０５／１２（入力時期）」「６３．２ｋｇ（バイタル情報）―２０１２／０４／１４（入力時期）」「６３．３ｋｇ（バイタル情報）―２０１２／０４／０１（入力時期）」「６３．３ｋｇ（バイタル情報）―２０１２／０３／１７（入力時期）」を表示情報生成部１１４が受信している。
【００５０】
図６は、入力時期ごとに対応する重みづけ値を各バイタル情報に割り当てた例を示す。重みづけ値は、例えば入力時期が直近のバイタル情報から順に高い値を割り当てる。図６の例では直近である「２０１２／０６／０２」のバイタル情報から順に「０．４９」「０．３０」「０．１５」「０．０５」「０．０３」の重み付け値を割り当てている。
【００５１】
図７は、例１における各バイタル情報の重みづけ値の合計値を示す。合計値は、バイタル情報に重み付け値を割り当てた後、表示情報生成部１１４が、同一のバイタル情報同士の重みづけ値を加算することで算出する。そして、重みづけ値の合計値が最も大きいバイタル情報を入力予測値として抽出する。
【００５２】
例１では、同一のバイタル情報が存在しない。よって、重みづけ値の合計値は、「６３．２ｋｇ」が「０．４９」、「６３．４ｋｇ」が「０．３０」、「６４．１ｋｇ」が「０．１５」、「６３．８ｋｇ」が「０．０５」、「６３．７ｋｇ」が「０．０３」となる。そして、表示情報生成部１１４は、合計値が最も高い「０．４９」に対応するバイタル情報である「６３．２ｋｇ」を、入力予測値として抽出する。
【００５３】
図８は、例２における各バイタル情報の重みづけ値の合計値を示す。
【００５４】
例２では、「６３．１ｋｇ」と「６３．８ｋｇ」について同一のバイタル情報が存在しない。よって、重みづけ値の合計値は、「６３．１ｋｇ」が「０．４９」、「６３．８ｋｇ」が「０．０３」となる。ここで、「６３．２ｋｇ」については同一のバイタル情報が３つ存在する。よって、これら同一のバイタル情報の重みづけ値「０．３０」と「０．１５」と「０．０５」とを加算することで合計値「０．５０」を算出する。そして、表示情報生成部１１４は、合計値が最も高い「０．５０」に対応するバイタル情報である「６３．２ｋｇ」を、入力予測値として抽出する。
【００５５】
図９は、例３における各バイタル情報の重みづけ値の合計値を示す。
【００５６】
例３では、「６８．３ｋｇ」について同一のバイタル情報が２つ、「６３．２ｋｇ」について同一のバイタル情報が３つ存在する。よって、バイタル情報「６３．８ｋｇ」についての重みづけ値「０．４９」と「０．０３」とを加算することで合計値「０．５２」を算出する。また、バイタル情報「６３．２ｋｇ」についての重みづけ値「０．３０」と「０．１５」と「０．０５」とを加算することで合計値「０．５０」を算出する。よって、表示情報生成部１１４は、最も高い合計値「０．５２」に対応するバイタル情報である「６３．８ｋｇ」を入力予測値として抽出する。
【００５７】
図１０は、例４における各バイタル情報の重みづけ値の合計値を示す。
【００５８】
例４では、「６３．１ｋｇ」について同一のバイタル情報が存在しない。よって、「６３．１ｋｇ」のバイタル情報の重みづけ値の合計値は、「０．４９」となる。ここで、「６３．２ｋｇ」については同一のバイタル情報が２つ、「６３．３ｋｇ」については同一のバイタル情報が２つ存在する。よって、バイタル情報「６３．２ｋｇ」についての重みづけ値「０．３０」と「０．１５」とを加算することで合計値「０．４５」を算出する。また、バイタル情報「６３．３ｋｇ」についての重みづけ値「０．０５」と「０．０３」とを加算することで合計値「０．０８」を算出する。よって、表示情報生成部１１４は、合計値が最も高い「０．４９」に対応するバイタル情報である「６３．１ｋｇ」を、入力予測値として抽出する。
【００５９】
＜本実施の形態の効果＞
本実施の形態によれば、ワンタッチでバイタル情報を携帯端末１００から入力できるようになる。
【００６０】
また、バイタル情報は、恒常性があり短期間での変動範囲が限られているところ、抽出した入力予測値の前後に所定間隔ごとに存在する値を入力候補として特定することで、より妥当なバイタル情報の入力候補を特定できるようになる。
【００６１】
さらに、格子状に分割した各表示領域に入力候補を表示できるようになる。
【００６２】
さらに、過去に携帯端末が入力を受け付けたバイタル情報が存在しない場合でも、利用者の年齢、性別をキーに統計情報に基づくバイタル情報を取得できるようになる。
【００６３】
以上、本発明によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６４】
本発明は、ワンタッチでバイタル情報を携帯端末１００から入力できるという優れた効果を有し、バイタル情報入力受付システムおよび方法ならびにプログラムにも適用することができる。
【符号の説明】
【００６５】
１００  携帯端末
１０１  表示部
１０２  一時データ記憶部
１１０  情報管理サーバ
１１１  登録部
１１２  変更部
１１３  削除部
１１４  表示情報生成部
１２１  利用者情報記憶部
１２２  バイタル情報記憶部
１２３  統計情報記憶部
２００  ネットワーク
１２０２  上ボタン
１２０３  下ボタン
【図１】
2014085682.tif 000003
【図２】
2014085682.tif 000004
【図３】
2014085682.tif 000005
【図４】
2014085682.tif 000006
【図５】
2014085682.tif 000007
【図６】
2014085682.tif 000008
【図７】
2014085682.tif 000009
【図８】
2014085682.tif 000010
【図９】
2014085682.tif 000011
【図１０】
2014085682.tif 000012
【図１１】
2014085682.tif 000013
【図１２】
2014085682.tif 000014